【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
コンピュータで実施される方法であって、
第1の媒体を用いて少なくとも1人のユーザにコンテンツ項目を提示するステップを含み、
前記コンテンツ項目は、対象概念を特定し、
前記方法は、
前記コンテンツ項目を提示した後に、第2の媒体の使用における変化を測定するステップと、
前記第2の媒体の使用における測定された変化に基づいて、前記第1の媒体を用いる前記コンテンツ項目の次の提示に関連する値を変更するステップとを含む方法。
【請求項２】
前記第2の媒体の使用における変化を測定するステップは、前記第2の媒体における前記対象概念の使用を測定するステップを含む、請求項1に記載の方法。
【請求項３】
前記第2の媒体における前記対象概念の使用を測定するステップは、前記第2の媒体と関連付けられた検索ツールにおける検索語として前記対象概念の使用を測定するステップを含む、請求項2に記載の方法。
【請求項４】
前記対象概念を含む第2のコンテンツ項目を前記第2の媒体で提示するステップをさらに含む、請求項1に記載の方法。
【請求項５】
前記コンテンツ項目を特定する少なくとも1つのユーザ選択を前記第2の媒体で受け取るステップをさらに含む、請求項1に記載の方法。
【請求項６】
使用を測定するステップは、前記対象概念の検索を特定するステップをさらに含む、請求項5に記載の方法。
【請求項７】
前記第2の媒体の使用における変化を測定するステップは、前記コンテンツ項目を特定する前記少なくとも1つのユーザ選択の数を測定するステップを含む、請求項5に記載の方法。
【請求項８】
前記コンテンツ項目の受け取られたユーザ選択から生成された収入を測定するステップをさらに含む、請求項5に記載の方法。
【請求項９】
前記コンテンツ項目を少なくとも1人のユーザに提示するステップは、
前記コンテンツ項目がウェブページのコンテンツに文脈的に関連があるかどうかを判定するステップと、
前記判定に基づいて、前記ウェブページ上に前記コンテンツ項目を提示するステップと
をさらに含む、請求項1に記載の方法。
【請求項１０】
前記コンテンツ項目を少なくとも1人のユーザに提示するステップは、広告を前記少なくとも1人のユーザに提示するステップを含む、請求項1に記載の方法。
【請求項１１】
前記コンテンツ項目を前記少なくとも1人のユーザに提示するステップの前に、ウェブページ上における前記コンテンツ項目の位置を決定するステップをさらに含む、請求項1に記載の方法。
【請求項１２】
前記コンテンツ項目は広告である、請求項11に記載の方法。
【請求項１３】
前記広告は前記対象概念を含む、請求項12に記載の方法。
【請求項１４】
前記広告は検索ツールの名称を特定する、請求項13に記載の方法。
【請求項１５】
前記対象概念は検索クエリを含む、請求項13に記載の方法。
【請求項１６】
前記対象概念は、1つまたは複数の検索クエリと関連付けられている、請求項13に記載の方法。
【請求項１７】
前記コンテンツの次の提示に関連する値を変更するステップは、前記コンテンツ項目を提示するコストを変更するステップ、または前記第1の媒体における前記コンテンツ項目の配置位置を変更するステップを含む、請求項1に記載の方法。
【請求項１８】
前記コンテンツの次の提示に関連する値を変更するステップは、前記第1の媒体を用いて前記コンテンツ項目を提示する時間または持続期間を変更するステップを含む、請求項1に記載の方法。
【請求項１９】
少なくとも1人のユーザに対して、インターネット検索ツールおよび対象概念を特定する広告をウェブページ上に提示するステップと、
前記広告を前記少なくとも1人のユーザに提示した後に、前記対象概念に対する前記インターネット検索ツールでの要求数を測定するステップとを含む方法。
【請求項２０】
前記少なくとも1人のユーザに前記広告が提示された時間を特定するステップをさらに含む、請求項19に記載の方法。
【請求項２１】
前記広告を前記少なくとも1人のユーザに提示した後に、前記対象概念に対する前記インターネット検索ツールでの要求数を測定するステップは、前記広告が前記少なくとも1人のユーザに提示された時点で開始する期間中に、前記対象概念に対する前記インターネット検索ツールでの要求数を測定するステップを含む、請求項19に記載の方法。
【請求項２２】
前記広告を前記少なくとも1人のユーザに提示した後に、前記対象概念に対する前記インターネット検索ツールにおける要求数を測定するステップは、前記広告が前記少なくとも1人のユーザに提示された時点の後に続く期間中に、前記対象概念に対する前記インターネット検索ツールでの要求数を測定するステップを含む、請求項19に記載の方法。
【請求項２３】
1つまたは複数の他の広告に対する前記広告の提示位置を特定するステップをさらに含む、請求項19に記載の方法。
【請求項２４】
前記1つまたは複数の他の広告に対する前記広告の提示位置は、前記1つまたは複数の他の広告に対して前記広告を提示する順序であることを含む、請求項23に記載の方法。
【請求項２５】
前記測定された要求数を前記特定された提示位置に関連付けるステップをさらに含む、請求項23に記載の方法。
【請求項２６】
1つまたは複数の他の広告とは異なる提示位置で、少なくとも1つの次の時間に前記広告を提示するステップをさらに含む、請求項23に記載の方法。
【請求項２７】
前記異なる提示位置で前記少なくとも1つの次の時間に前記広告を提示した後に、前記対象概念に対する前記インターネット検索ツールでの要求数を測定するステップをさらに含む、請求項26に記載の方法。
【請求項２８】
前記提示位置での広告に対して測定された要求数と、前記異なる提示位置での前記広告に対して測定された要求数と比較するステップをさらに含む、請求項27に記載の方法。
【請求項２９】
少なくとも1人のユーザにコンテンツ項目を提示する手段を備えるシステムであって、
前記コンテンツ項目は、インターネット検索ツールおよび対象概念を特定し、
前記システムは、
前記コンテンツ項目のユーザ選択を受け取る手段と、
前記コンテンツ項目のユーザ選択を受け取ると、前記インターネット検索ツールを用いて、前記対象概念の検索を自動的に実行する手段とを備えるシステム。
【請求項３０】
テレビジョン広告またはラジオ広告を少なくとも1人のユーザに提示する手段を備えるシステムであって、
前記広告は、検索ツールおよび対象概念を特定し、
前記システムは、
前記少なくとも1人のユーザに前記広告を提示した後に、前記対象概念に対する前記検索ツールでの要求数を測定する手段と、
第1の媒体を用いたコンテンツの次の提示に関連する値を変更する手段とを備えるシステム。
【請求項３１】
コンピュータで実施される方法であって、
第1の媒体を用いて少なくとも1人のユーザにコンテンツ項目を提示するステップを含み、
前記コンテンツ項目は、対象概念を特定するとともに、前記第1の媒体における第1の配置位置に提示され、
前記方法は、
前記第1の配置位置に前記コンテンツ項目を提示した後に、第2の媒体の使用における変化を測定するステップと、
1つまたは複数のプロセッサにより、前記第2の媒体の使用における測定された変化に基づいて、前記第1の媒体を用いる、同じまたは異なる配置位置における前記コンテンツ項目の次の提示に関連する値を変更するステップとを含む方法。